(57)【特許請求の範囲】
【請求項１】
開閉可能な操作卓ケースと、前記操作卓ケースに取付けられ、突出部を有する操作卓ケース取付部材と、前記操作卓ケース取付部材に取付けられた操作卓シャーシと、前記操作卓ケースと前記操作卓シャーシとを連結するアーム部と、前記アーム部が移動可能に前記操作卓シャーシに取り付けられたスペーサと、前記突出部に設けられたロック部とを備え、前記アーム部は前記スペーサを係止するロック孔部及び前記ロック部と係合するストッパー部を有し、前記ストッパー部に前記ロック部が係合することにより、前記操作卓ケースを開口状態で保持するようにしたことを特徴とする操作卓装置。
【発明の詳細な説明】
【０００１】
【産業上の利用分野】
本発明は、教育システム装置等の操作卓装置に関するものである。
【０００２】
【従来の技術】
一般に、教育システム装置等の操作卓は、マスター卓に設けた操作卓収納部に収納してあり、この操作卓の、操作パネルを備えた操作卓ケースは、操作卓シャーシにねじ止めされており、操作卓ケースを容易に外すことができない構成にしてあった。
【０００３】
【発明が解決しようとする課題】
上記従来の操作卓装置にあっては、操作パネルを備えた操作卓ケースが操作卓シャーシにねじ止めされて、操作卓ケースが容易に外すことができない構成になっているために、この操作卓の内部部品の保守点検を容易に行うことができないという問題点があった。
【０００４】
本発明は、上記の問題点に着目して成されたものであって、その目的とするところは、操作卓内部の保守点検を容易に行うことができる操作卓装置を提供することにある。
【０００５】
【課題を解決するための手段】
上記の目的を達成するために、本発明は、開閉可能な操作卓ケースと、前記操作卓ケースに取付けられ、突出部を有する操作卓ケース取付部材と、前記操作卓ケース取付部材に取付けられた操作卓シャーシと、前記操作卓ケースと前記操作卓シャーシとを連結するアーム部と、前記アーム部が移動可能に前記操作卓シャーシに取り付けられたスペーサと、前記突出部に設けられたロック部とを備え、前記アーム部は前記スペーサを係止するロック孔部及び前記ロック部と係合するストッパー部を有し、前記ストッパー部に前記ロック部が係合することにより、前記操作卓ケースを開口状態で保持するようにしたことを特徴とする。
【０００６】
【作用】
かかる構成により、前記操作卓ケースを後方に押すことにより、この操作卓ケースに開閉可能に取り付けられた前記操作卓ケース取付部材を後方に移動して、前記操作卓シャーシの前面部と操作卓ケースの前面部との間に手を差し込むほどの隙間を生じしめ、この隙間に手を挿入して操作卓ケースを持ち上げることにより、この操作卓ケースを開けて、前記保持機構により前記操作卓ケースを開口状態に保持する。
【０００７】
【実施例】
以下、本発明の一実施例を図面に基づいて説明する。図１は本発明に係わる操作卓装置をマスター卓に組み込んだ状態の斜視図、図２は同操作卓の分解斜視図、図３は同操作卓の側面図、図４はアームの説明図、図５は図３Ｘ−Ｘ線に沿う断面図である。
【０００８】
マスター卓Ａには操作卓収納部Ｂが形成してあり、この操作卓収納部Ｂに操作卓１が収納してある。この操作卓１は図２に示すように操作卓シャーシ２と、操作卓ケース取付部材３と、操作卓ケース４と、操作パネル５と、アーム１８とを備えている。
【０００９】
前記操作卓シャーシ２は上面が開放された長方形状に箱状体であり、前、後面部２ａ、２ｂ、左、右面部２ｃ、２ｄおよび底面部２ｅを有している。そして、左面部２ａの後部にはアーム取付座部６が設けてあり、左、右面部２ａ、２ｂの後部には前後方向に沿う長孔７とが前後して形成してある。また、前記後面部２ｂの上部には後方に突出する部材受面部８が形成してある。
【００１０】
前記操作卓ケース取付部材３は断面逆Ｌ字形状をしていて、垂直面部３ａと水平面部３ｂとを有しており、この水平面部３ｂには左右および中央に位置させて蝶番取付座部９が形成してあり、また、前記垂直面部３ａの左右端部には前方に突出する突出部１０が設けてある。そして左の突出部１０は断面コ字形状をしており、この突出部１０の先側にはロック部１０ａが形成してある。また、左右の突出部１０にはねじ孔１１が設けてある。
【００１１】
前記操作卓ケース４は底面が開放された長方形状に箱状体であり、前、後面部４ａ、４ｂ、左、右面部４ｃ、４ｄおよび上面部４ｅを有しており、この上面部４ｅは前方に向かって傾斜しており、上面部４ｅには開口部１２が形成してある。
【００１２】
そして、操作卓ケース４の後面部４ｂ内側には蝶番取付部材１３が設けてあり、この蝶番取付部材１３には左右および中央に位置させて蝶番取付座部１４が形成してある。また、前記左面部４ｃの後部内側にはアーム取付座部１５が設けてあり、前記前面部４ａの内側には左右に位置させて取付用脚部１６が設けてあり、この取付用脚部１６にはねじ孔１６ａが形成してある。そして、前記操作卓ケース４内には前記操作パネル５と複数の回路基板１７等が装着してあり、この操作パネル５は前記開口部１２から表出している。また、開口部１２には操作パネル５を覆う開閉扉３０が設けてある。
【００１３】
また、前記アーム１８は、その上端部に支点孔１９を、また、中間部から下端部にかけてスライド孔部２０を有しており、このスライド孔部２０の下端部にはロック孔部２１が形成してあり、また、アーム１８の後縁下部にはストッパー部２２が形成してある。
【００１４】
そして、前記操作卓シャーシ２の部材受面部８上には前記操作卓ケース取付部材３がその水平面部３ｂを摺接させて前後方向に所定の距離だけ移動可能に設けてある。すなわち、図５に示すように前記操作卓ケース取付部材３の左右の突出部１０は前記操作卓シャーシ２の左、右面部２ｃ、２ｄの外方に位置させて、前記長孔７に２個のスペーサー２３を摺動可能に挿入し、これらのスペーサー２３をねじ２４により前記突出部１０に取り付けて、スペーサー２３が長孔７の後端部に接する間前記操作卓ケース取付部材３が後方に移動できるようにしてある。
【００１５】
そして、前記操作卓ケース取付部材３の蝶番取付座部９には蝶番２５の一方の取付部２５ａがねじ２６により取り付けてあり、蝶番２５の他方の取付部２５ｂは、前記操作卓ケース４の蝶番取付部材１３の蝶番取付座部１４にねじ２７により取り付けてあって、操作卓ケース４が蝶番２５を介して操作卓ケース取付部材３に対して開閉可能になっている。
【００１６】
また、前記操作卓ケース４のアーム取付座部１５には前記アーム１８が、その上端部でスペーサー２６ａとねじ２７ａとにより回転可能に取り付けてあり、また、前記操作卓シャーシ４のアーム取付座部６にはねじ２８によりスペーサー２９が取り付けてあり、このスペーサー２９は前記アーム１８のスライド孔部２０に移動可能に挿入してある。
【００１７】
上記のように構成された操作卓１は、前記マスター卓Ａの操作卓収納部Ｂに収納されており、操作卓１の操作卓シャーシ２がマスター卓Ａの機枠（図示せず）に固着してある。
【００１８】
そして、前記操作卓ケース取付部材３を前方に移動し、スペーサー２３が長孔７の前端部に接した状態で、前記操作卓ケース４を前方に倒し、この操作卓ケース４の左右の取付用脚部１６を前記操作卓シャーシ２の前面部２ａの後方に位置させて、この前面部２ａの取付孔３１に挿通した取付ねじ３２を前記取付用脚部１６のねじ孔１６ａに螺合して、前記操作卓ケース４が前記操作卓シャーシ２に固定してある。この場合、前記アーム１８は図３及び図４に示すようにほぼ水平状態になっていて、これのスライド孔部２０の先端部に前方のスペーサー２３が位置している。
【００１９】
そして、前記アーム１８と、このアーム１８に形成されたスライド孔部２０及びロック孔部２１と、アーム１８の後縁下部に形成されたストッパー部２２と、スペーサー２９と，ねじ２８と，突出部１０の先側のロック部１０ａとで保持機構５０を構成している。
【００２０】
次に、操作卓１の保守点検を行う場合に付いて説明する。前記取付ねじ３２を前記取付用脚部１６のねじ孔１６ａから外して、前記操作卓ケース４を後方に押すことにより、この操作卓ケース４の蝶番２５を介して取り付けられた前記操作卓ケース取付部材３を後方に移動する。この移動量は、後方の前記スペーサー２３が前記長孔７の後端部に接する間である。この場合、前記操作卓ケース取付部材３の垂直面部３ａが前記操作卓シャーシ２の後面部２ｂに接する。
【００２１】
このように、前記操作卓ケース４が後方に移動することにより、前記操作卓シャーシ２の前面部２ａと操作卓ケース４の前面部４ａとの間に手を差し込むほどの隙間Ｔが生じる。したがって、この隙間Ｔに手を挿入して操作卓ケース４を持ち上げることにより、この操作卓ケース４を前記蝶番２５を介して後方に回動させる。この操作卓ケース４の回動により前記アーム１８は後方に移動してスペーサー２９はスライド孔部２０の前端部からロック孔部２１内に位置する。この状態で、手による操作卓ケース４の保持を解除するとスペーサー２９がロック孔部２１に係止されると共に、アーム１８のストッパー部２２が前記突出部１０のロック部１０ａに接してアーム１８が支えられてこのアーム１８により前記操作卓ケース４が開いた状態で保持される。そして、操作卓ケース４が保持された状態でスペーサ２９をロック孔部２１から外れるようにアーム部１８を手で持ち上げ、これにより、ストッパー部２２とロック部１０ａとが隔離し、操作卓ケース４の保持が解除されて、操作卓ケースを閉じることができる。
【００２２】
上記のように、前記隙間Ｔに手を挿入して操作卓ケース４を持ち上げることにより、この操作卓ケース４を前記蝶番２５を介して容易に後方に回動させ得るし、また、前記保持機構５０により前記操作卓ケース４を開口状態に保持することができる。このために、操作卓１内部の保守点検を容易に行うことができる。
【００２３】
【発明の効果】
以上、説明したように、本発明は、操作卓ケースを開口状態に保持することができる。このために、操作卓内部の保守点検を容易に行うことができる。
【図面の簡単な説明】
【図１】本発明に係わる操作卓装置をマスター卓に組み込んだ状態の斜視図
【図２】同操作卓の分解斜視図
【図３】同操作卓の側面図
【図４】アームの説明図
【図５】図３Ｘ−Ｘ線に沿う断面図
【図６】本発明に係わる操作卓装置において操作卓ケースを後方に移動させた状態の斜視図
【図７】同操作卓装置において操作卓ケースを後方に移動させた状態の側面図
【図８】同操作卓装置において操作卓ケースを後方に回動させた状態の斜視図
【図９】操作卓ケースを後方に回動させた状態でのアームの挙動説明図
【符号の説明】
２  操作卓シャーシ
３  操作卓ケース取付部材
４  操作卓ケース
５  操作パネル
８  部材受面部
【図１】
0003552253.tif 000002
【図２】
0003552253.tif 000003
【図３】
0003552253.tif 000004
【図４】
0003552253.tif 000005
【図５】
0003552253.tif 000006
【図６】
0003552253.tif 000007
【図７】
0003552253.tif 000008
【図８】
0003552253.tif 000009
【図９】
0003552253.tif 000010